(57)【要約】【課題】ケース全体を取り替えることなく複数の装飾デザインを自由に選択でき、ユーザーに経済的な負担をかけることなく、長期間にわたって興味深く使用することができるスマートフォン用ケースを提供する。【解決手段】  スマートフォン本体２の裏面側に脱着可能に装着されるケース本体３と記スマートフォン本体２の裏面とケース本体３の内面との間に取替え可能に配備される装飾用シート４とからなり、ケース本体３に透光部位ｓを含んだ装飾文様ｍ１を形成し、その透光部位ｓを通して内部の装飾用シート４に施された装飾文様ｍ２を外部から透視可能に構成してある。【選択図】図１
0003179719.tif 000002
【実用新案登録請求の範囲】
【請求項１】
画像表示面を表面側に有する携帯型電子機器本体の裏面側に脱着可能に装着されるケース本体と、前記携帯型電子機器本体の裏面と前記ケース本体の内面との間に取替え可能に配備される装飾用シートとからなり、前記ケース本体に透光部位を含んだ第１装飾領域を形成し、その透光部位を通して内部の装飾用シートに施された前記第１装飾領域とは異なる第２装飾領域を外部から透視可能に構成してある、
ことを特徴とする携帯型電子機器用ケース。
【請求項２】
画像表示面を表面側に有する携帯型電子機器本体の裏面側に脱着可能に装着されるケース本体と、前記携帯型電子機器本体の裏面と前記ケース本体の内面との間に取替え可能に配備される装飾用シートとからなり、前記ケース本体に透光部位を含んだ装飾文様を形成し、その透光部位を通して内部の装飾用シートに施された装飾文様を外部から透視可能に構成してある、
ことを特徴とする携帯型電子機器用ケース。
【請求項３】
前記装飾用シートを前記携帯型電子機器本体の裏面あるいはケース本体の内面に貼付け装着するよう、装飾用シートの一面を粘着面にしてある、
請求項１または２記載の携帯型電子機器用ケース。
【請求項４】
前記ケース本体を透明樹脂材で成形し、ケース本体の外表面に非透光状態の前記装飾文様を印刷形成するとともに、非印刷部位を前記透光部位としてある、
請求項２または３記載の携帯型電子機器用ケース。
【請求項５】
前記装飾用シートの装飾文様をホログラムで形成してある、
請求項２ないし３のいずれかに記載の携帯型電子機器用ケース。
【請求項６】
前記ケース本体または装飾用シートの装飾文様を香料入りの塗料で印刷形成してある、
請求項２ないし３のいずれかに記載の携帯型電子機器用ケース。
【請求項７】
一個の前記ケース本体と装飾文様が異なる複数枚の前記装飾用シートとを１セットとして梱包供給するよう構成してある、
請求項２ないし５のいずれかに記載の携帯型電子機器用ケース。
【請求項８】
前記携帯型電子機器本体は、スマートフォン本体である、
請求項１ないし６のいずれかに記載の携帯型電子機器用ケース。
【考案の詳細な説明】
【技術分野】
【０００１】
本考案は、携帯型電子機器に装着して使用するケースに関する。
【背景技術】
【０００２】
例えばスマートフォンなどの携帯型電子機器本体の保護および装飾のために使用する携帯型電子機器用ケースとしては、例えば、特許文献１に示されるように、内層ケースと透明樹脂材からなる外層ケースとの間に、羽毛、木の葉、粒子、印刷物、などで形成された中間層を装飾デザインとして挟み込んで、これら３層を一体に結合したものが知られている（例えば、特許文献１参照）。
【先行技術文献】
【特許文献】
【０００３】
【特許文献１】実用新案登録第３１７６５５９号公報
【考案の概要】
【考案が解決しようとする課題】
【０００４】
しかしながら、このような構成を有する従来例の場合には、次のような問題がある。
すなわち、従来の携帯型電子機器用ケースは、装飾デザインとなる中間層が外層と内層との間に挟み持たれているので、損傷することなく長期間にわたって美観を保つことができるものであるが、装飾デザインに飽きてしまうと、携帯型電子機器用ケースを別の装飾デザインのものに取り替える必要があり、ユーザーに経済的負担をかけることになる。
【０００５】
本考案は、このような事情に鑑みてなされたものであって、ケース全体を取り替えることなく複数の装飾デザインを自由に選択でき、ユーザーに経済的な負担をかけることなく、長期間にわたって興味深く使用することができる携帯型電子機器用ケースを提供することを目的とするものである。
【課題を解決するための手段】
【０００６】
上記目的を達成するために、本考案では次のように構成している。
【０００７】
（０）本考案は、画像表示面を表面側に有する携帯型電子機器本体の裏面側に脱着可能に装着されるケース本体と、前記携帯型電子機器本体の裏面と前記ケース本体の内面との間に取替え可能に配備される装飾用シートとからなり、前記ケース本体に透光部位を含んだ第１装飾領域を形成し、その透光部位を通して内部の装飾用シートに施された前記第１装飾領域とは異なる第２装飾領域を外部から透視可能に構成してあることを特徴とする。
【０００８】
この構成によると、携帯型電子機器本体にケース本体を取り付けた状態では、ケース本体の第１装飾領域の透光部位から内部に装備した装飾用シートの第２装飾領域が透視されるので、ケース全体を取り替えることなく複数の装飾デザインを自由に選択できる。したがって、ユーザーに経済的な負担をかけることなく、長期間にわたって興味深く使用される携帯型電子機器用ケースを提供することができる。
【０００９】
（１）本考案は、携帯型電子機器本体の裏面側に脱着可能に装着されるケース本体と、前記携帯型電子機器本体の裏面と前記ケース本体の内面との間に取替え可能に配備される装飾用シートとからなり、前記ケース本体に透光部位を含んだ装飾文様を形成し、その透光部位を通して内部の装飾用シートに施された装飾文様を外部から透視可能に構成してあることを特徴とする。
【００１０】
この構成によると、携帯型電子機器本体にケース本体を取り付けた状態では、ケース本体の装飾文様の透光部位から内部に装備した装飾用シートの装飾文様が透視される複雑で興味深い装飾文様が表示されることになり、装飾性の高いデザインを得ることができる。
【００１１】
また、携帯型電子機器本体にケース本体との間に介在する装飾用シートは必要に応じて取替えることができるので、別の装飾用シートを装着することで、ケース本体の装飾文様は同じでも、透光部位から見える装飾文様が変ることで、前とは違った趣の装飾デザインとして楽しむことができる。
【００１２】
（２）本考案の実施態様においては、前記装飾用シートを前記携帯型電子機器本体の裏面あるいはケース本体の内面に貼付け装着するよう、装飾用シートの一面を粘着面にしてある。
【００１３】
この構成によると、携帯型電子機器本体にケース本体との間に装飾用シートを介在してケース本体を携帯型電子機器本体に嵌め付ける場合、装飾用シートを携帯型電子機器本体あるいはケース本体に容易に貼付け固定することで、装飾用シートを正しく位置決めしてケース本体を装着することができる。
【００１４】
（３）本考案の他の実施態様においては、前記ケース本体を透明樹脂材で成形し、ケース本体の外表面に非透光状態の前記装飾文様を印刷形成するとともに、非印刷部位を前記透光部位としてある。
【００１５】
この構成によると、装飾用シートの装飾文様を透視するための透光部位をケース本体の任意の位置に任意の形状にして容易に設けることができる。
【００１６】
（４）本考案の他の実施態様においては、前記装飾用シートの装飾文様をホログラムで形成してある。
【００１７】
この構成によると、ケース本体の透光部位を通して見えるホログラムの装飾文様が、見る向きによって様々に変化することになり、興味深い装飾デザインとすることができる。
【００１８】
（５）本考案の他の実施態様においては、前記ケース本体または装飾用シートの装飾文様を香料入りの塗料で印刷形成してある。
【００１９】
この構成によると、香りを伴う趣のある装飾デザインを得ることができる。
【００２０】
（６）本考案の他の実施態様においては、一個の前記ケース本体と装飾文様が異なる複数枚の前記装飾用シートとを１セットとして梱包供給するよう構成してある。
【００２１】
この構成によると、装飾用シートの枚数だけ装飾デザインを変更して楽しむことができる。特に、ケース本体の装飾デザインが異なる複数のセットを用れば、複数のケース本体の装飾とより多い複数の装飾用シートの装飾の組合せで一層多くの装飾デザインを得ることができる。
【００２２】
（７）本考案の他の実施態様においては、携帯型電子機器本体がスマートフォン本体であることが好ましい。これにより、スマートフォン本体の裏面の装飾性を高めることができる。
【考案の効果】
【００２３】
このように、本考案によれば、ケース全体を取り替えることなく複数の装飾デザインを自由に選択でき、ユーザーに経済的な負担をかけることなく、長期間にわたって興味深く使用することができる携帯型電子機器用ケースを提供することができる。
【図面の簡単な説明】
【００２４】
【図１】スマートフォン用ケースおよびスマートフォン本体の斜視図である。
【図２】スマートフォン用ケースを装着したスマートフォンの斜視図である。
【図３】スマートフォン用ケースを装着したスマートフォンの横断平面図である。
【図４】提供形態の一例を示す斜視図である。
【考案を実施するための形態】
【００２５】
以下、本考案の実施例を図面に基づいて説明する。
【００２６】
図１に、本考案に係るスマートフォン用ケース１とスマートフォン本体２とを裏面側から見た斜視図が、また、図２に、表面側から見た斜視図がそれぞれ示されている。このスマートフォン用ケース１は、スマートフォン本体２の裏面側に嵌合装着されるケース本体３と、スマートフォン本体２の裏面とケース本体３との間に装着される装飾用シート４とを組み合わせたものとして構成されている。
【００２７】
前記ケース本体３は、透明樹脂材でスマートフォン本体２の外形に沿った形状の平板状に成形されるとともに、スマートフォン本体２の左右側辺部に外嵌する左右一対の側壁部３ａと、スマートフォン本体２の四隅に外嵌するコーナー部３ｂとが一体に連設されたものであり、スマートフォン本体２の裏面側から押し付け外嵌することで、図３に示すように、ケース本体３における側壁部３ａの内面に沿って形成した溝部５が、スマートフォン本体２の外周に沿って僅かに突出する周部２ａに外嵌係合して、ケース本体３がスマートフォン本体２に表裏方向へガタつきなく装着支持されるようになっている。また、コーナ部３ｂがスマートフォン本体２の四隅に外嵌されることで、ケース本体３のスマートフォン本体２に対する上下方向へのずれ動きが阻止されるようになっている。
【００２８】
また、ケース本体３の上部には開口６が形成されており、ケース本体３をスマートフォン本体２に装着した状態において、スマートフォン本体２の裏面上部に備えられたカメラレンズ部７が開口６を通して直接に露出されるようになっている。
【００２９】
なお、スマートフォン本体２に装着したケース本体３全体を外向きに湾曲させて左右の側壁部３ａを外側方に拡げることで、溝部５と周部２ａとの係合を解除して、ケース本体３をスマートフォン本体２から取り外すことができる。
【００３０】
また、ケース本体３の外表面には装飾文様ｍ１が印刷形成されている。例示したものにおいては、装飾文様ｍ１は、光を通さない、あるいは、ほとんど通さないインキや塗料で形成されており、印刷が施されていない部位が、内部を透視可能な透光部位ｓとなっている。
【００３１】
前記装飾用シート４は、表面（あるいは表裏両面）に印刷、型押し、等の適宜手段で装飾文様ｍ２を施した樹脂シートを、スマートフォン本体２の外形と同形状に打ち抜き裁断して形成されており、ケース本体３の開口６と同形状の抜き孔８がスマートフォン本体２のカメラレンズ部７に対応した位置に設けられている。また、装飾用シート４の裏面は弱い粘着力の粘着面に形成されている。
【００３２】
装飾用シート４の装飾文様ｍ２は、図示の場合、市松文様に区切られた升目ごとの細かい文様のホログラムで形成されており、見る向きによって反射箇所が変化して、興味深い文様を表示するするものが例示されている。
【００３３】
使用に際しては、先ず、装飾用シート４をその裏面の粘着面を介してスマートフォン本体２の裏面に沿って貼付け、次いで、ケース本体３をスマートフォン本体２の裏面側から押し付けて嵌合止着する。これによって、ケース本体３の透光部位ｓを通して内部の装飾用シート４の装飾文様ｍ２が地模様のように透けて見えることになり、ケース本体３の装飾文様ｍ１と透けて見える装飾文様ｍ２とで興味深い装飾デザインがもたらされることになる。
【００３４】
そして、この装飾用シート４を、別途用意した別の装飾文様ｍ２のものに取り替えることで、ケース本体３の装飾文様ｍ１は変らないが、透光部ｓから透けて見える地模様が変ることで、また違った趣の装飾デザインで使用することができる。
【００３５】
なお、実際には、図４に示すように、１個のケース本体３と、装飾文様ｍ２がそれぞれ異なる数枚の装飾用シート４を１セットとして、軟質透明樹脂からなる吊下げ包装袋９に収容して展示提供することになる。この場合、装飾用シート４裏側の粘着面にはセパレータを貼付けて提供される。
【００３６】
これによると、ユーザーは、１セットのスマートフォン用ケース１を入手することで、装飾用シート４の枚数分、装飾文様を取り替えて使用することができる。また、本体ケース３の装飾文様ｍ１が異なる複数のセットを入手しておくと、本体ケース３の装飾文様ｍ１と装飾用シート４群の装飾文様ｍ２の組合せが一層数多くなり、更に多くの種類の装飾デザインを楽しむことができる。
【００３７】
また、各種の装飾文様ｍ１を備えたケース本体３と、各種の装飾文様ｍ２を備えた装飾用シート４とをそれぞれ個別に提供して、ユーザーが好み組合せを選択して入手したり、後日、装飾用シート４だけを任意に追加入手できるようにするもよい。
【００３８】
なお、言うまでもないが、スマートフォン本体２の寸法仕様はメーカーによって異なるので、これに対応した仕様のケース本体３および装飾用シート４を準備提供することはもちろんである。
【００３９】
本考案は、以下のような形態で実施することもできる。
（１）上記実施例では、装飾用シート４の裏面を粘着面にして、装飾用シート４をスマートフォン本体２の裏面に貼付け保持するようにしているが、装飾用シート４の表面を粘着面にして、装飾用シート４をケース本体３の内面に貼付け保持するようにして実施することもできる。また、装飾用シート４に粘着面を形成せず、スマートフォン本体２の裏面とケース本体３の内面との間に単に挟持するだけの簡易な形態で実施することもできる。
【００４０】
（２）装飾用シート４の表面と裏面にそれぞれ異なった装飾文様ｍ２を施して、表裏を使い分ける形態とすることもできる。
【００４１】
（３）ケース本体３の装飾文様ｍ１を香料入りインクによる印刷で形成して、装飾文様ｍ１を視覚的に楽しむのみならず、香りをも楽しむことができる形態で実施することも可能である。例えば、花の装飾文様ｍ１に対して、その花の香りを付けることで、女性ユーザーに好まれるものにすることができる。また、香料入りインクによる印刷を装飾用シート４の装飾文様ｍ２に施してもよい。
【００４２】
（４）ケース本体３に小さい透孔群やスリット群を形成すれば、装飾用シート４の装飾文様ｍ２を香り付きのものに形成して実施することができる。この場合、装飾文様ｍ２ごとに香りを異ならた複数種の装飾用シート４を提供することで、装飾用シート４を取り替えて装飾文様ｍ２のみならず香りをも変更して使用することができる。
【００４３】
（４）ケース本体３は必ずしも透明である必要はなく、内部に配備する装飾用シート４の装飾文様ｍ２を透視できる半透明の樹脂材で形成することもできる。この場合、薄い乳白色にすると、装飾用シート４の装飾文様ｍ２を透光部位ｓから淡い色調で透視することができる。また、ケース本体３の樹脂材を色付きの透明にすると、装飾用シート４における装飾文様ｍ２の色合いとケース本体３における透光部位ｓの色合いとが重なって異なった色合いで透視することができる。また、このような半透明あるいは色付きの透光部位ｓを、透明樹脂材からなるケース本体３への印刷によって任意の箇所に形成することも可能であり、この場合は、半透明の透光部位ｓと色付きの透光部位ｓを混在して形成することが可能となる。
【００４４】
（５）上記実施例では、携帯型電子機器の例として、タッチパネル式の画像表示面を表面側に有するスマートフォンを挙げて説明してきたが、本考案は、表面側に画像表示面を備える携帯型電子機器であれば、表面側に画像表示面と電話番号を入力する押しボタンを備える携帯電話機や携帯型音楽プレーヤーなどにも適用される。
【００４５】
（６）上記実施例では、装飾用シートの装飾文様ｍ２として、市松文様に区切られた升目ごとの細かい文様を例に挙げて説明してきたが、絵柄や、線図や、色模様の組み合わせなどの装飾文様であってもよい。
【００４６】
（７）上記実施例におけるケース本体３に施された装飾や、装飾用シート４に施された装飾は、単色の色彩が施された装飾領域であってもよい。
【００４７】
（８）上記（３）では、装飾用シート４の装飾文様ｍ２を香料入りインクによる印刷で形成していたが、装飾文様ｍ２を施された装飾用シート４のシートそのものに香りを付けてもよい。この場合は、装飾文様ｍ２は、香りを外的付加された装飾文様と言える。
【００４８】
（９）上記実施例では、スマートフォン本体２とケース本体３との間に取り換え可能に配備される装飾用の部材として装飾用シート４を例に挙げて説明したが、装飾用シート４は紙状の柔らかいシートであってもよいし、薄板状の硬い部材であってもよい。
【符号の説明】
【００４９】
１              スマートフォン用ケース
２              スマートフォン本体
３              ケース本体
４              装飾用シート
ｍ１             ケース本体の装飾文様
ｍ２             装飾用シートの装飾文様
ｓ              透光部位
【図１】
0003179719.tif 000003
【図２】
0003179719.tif 000004
【図３】
0003179719.tif 000005
【図４】
0003179719.tif 000006